(57)【要約】  自転車シートを個人に合わせるためのデバイスは、総称的自転車シートの少なくとも上面の形状を集合的に有する複数の個別可動式の部品であって、前記個別可動式の部品は、前記総称的自転車シートを前記個人に合わせた自転車シートのユーザの個人的な快適さの好みに合う調節された最終位置へと調節するために、互いに対しｘ方向、ｙ方向およびｚ方向に動かすことができる、複数の個別可動式の部品と、前記調節された最終位置を実現するために前記総称的自転車シートに対しなされるすべての調節を検出するために前記複数の個別可動式の部品に接続された複数のセンサとを備える。センサからの情報は、個人に合わせた自転車シートへと３Ｄ印刷され得る３Ｄデータファイルを形成するためにコンピュータにダウンロードされ得る。発明はまた、デバイスを使用する方法、生成された個人に合わせた自転車シート、および個人に合わせた自転車シートを含む自転車に関する。
2020501988.tif 000002
【特許請求の範囲】
【請求項１】
特に、個人に合わせた自転車シートを製造するのに使用するための、または調節可能な自転車シートそのものとして使用するためのデバイスであって、
（ａ）複数の個別可動式の部品であって、少なくとも２次元における前記個別可動式の部品の全体は、総称的自転車シートの少なくとも２次元の上面を定義し、前記個別可動式の部品は、前記総称的自転車シートを起点から調節された最終位置へと調節するために、互いに対しｘ方向、ｙ方向およびｚ方向に動かすことができ、ここで、前記起点と比較して前記調節された最終位置は、前記個人に合わせた自転車シートのユーザとなる人によってまたは前記人のためになされる、前記個別可動式の部品に対する個人的な快適さの調節を具現化する、複数の個別可動式の部品と、
（ｂ）前記複数の個別可動式の部品に接続された複数のセンサであって、前記調節された最終位置を実現するために前記起点に対しなされるすべての調節を集合的に検出する、複数のセンサと
を備えるデバイス。
【請求項２】
（ａ）シートベースと、
（ｂ）前記シートベース上に取り付けられたフロントプラットフォームであって、フロントプラットフォーム当初位置における前記フロントプラットフォームは、前記シートベースの上方に配置され、前記シートベースに対し略平行に伸長し、ここで、前記フロントプラットフォームは、前記フロントプラットフォームが前記フロントプラットフォーム当初位置から上または下へと旋回できるように前記シートベースに取り付けられる、フロントプラットフォームと、
（ｃ）前記シートベース上に取り付けられたバックプラットフォームであって、バックプラットフォーム当初位置における前記バックプラットフォームは、前記シートベースの上方に配置され、前記シートベースに対し略平行に伸長し、ここで、前記バックプラットフォームは、前記バックプラットフォームが前記バックプラットフォーム当初位置から上または下へと旋回できるように前記シートベースに取り付けられる、バックプラットフォームと、
（ｄ）前記フロントプラットフォームの上方に配置され、前記フロントプラットフォームに可動接続された複数のフロントスライドであって、前記フロントスライドの各々は、フロントスライド当初位置からフロントスライド移動位置へ、およびフロントスライド移動位置から前記フロントスライド当初位置へ、側方に動かすことができる、複数のフロントスライドと、
（ｅ）前記バックプラットフォームの上方に配置され、前記バックプラットフォームに可動接続された複数のバックスライドであって、前記バックスライドの各々は、バックスライド当初位置からバックスライド移動位置へ、およびバックスライド移動位置から前記バックスライド当初位置へ、側方に動かすことができる、複数のバックスライドと、
（ｆ）前記フロントスライドおよび前記バックスライド上に取り付けられ、それにより前記フロントスライドおよび前記バックスライドと同じように動かすことができる、複数のサドルコンポーネントであって、総称的自転車シートの表面の輪郭を有する、全体としての前記複数のサドルコンポーネントと、
（ｇ）オプションで、前記複数のサドルコンポーネントを覆うカバーと
を備える、請求項１に記載のデバイス。
【請求項３】
前記デバイスを自転車シートクリップに固定するための、前記シートベースの下に伸長する少なくとも１つのレールをさらに備える、請求項２に記載のデバイス。
【請求項４】
さらに、（Ａ）前記フロントプラットフォームの位置を前記フロントプラットフォーム当初位置から上または下に調節するための、または前記バックプラットフォームの位置を前記バックプラットフォーム当初位置から上または下に調節するための、前記シートベースに接続されるロッドまたはねじを備えるか、またはそうでなければ（Ｂ）そのような調節を実現するように電動式にされるか、のいずれかである、請求項２または３のいずれかに記載のデバイス。
【請求項５】
さらに、（Ａ）前記フロントプラットフォームの上側と２つの隣接するフロントスライドの下側との間に配置された、前記２つの隣接するフロントスライドの側方位置を互いに対し調節するための、または前記バックプラットフォームの上側と２つの隣接するバックスライドの下側との間に配置された、前記２つの隣接するバックスライドの側方位置を調節するための、デュアルねじ込み式ねじであって、前記デュアルねじ込み式ねじは、前記ねじの一端の右回転のねじ山と前記ねじの反対端の左回転のねじ山とを有する、デュアルねじ込み式ねじを備えるか、またはそうでなければ（Ｂ）そのような調節を実現するように電動式にされるか、のいずれかである、請求項２から４のいずれか一項に記載のデバイス。
【請求項６】
（Ａ）前記フロントプラットフォーム当初位置からの上または下への前記フロントプラットフォームの移動を測定するための、または前記バックプラットフォーム当初位置からの上または下への前記バックプラットフォームの移動を測定するためのルーラー、または
（Ｂ）前記フロントスライド当初位置からの前記フロントスライドの移動を測定するための、または前記バックスライド当初位置からの前記バックスライドの移動を測定するためのルーラー、または
（Ｃ）そのような測定のすべてまたは少なくともいくつかを実現するためのセンサ、エレクトロニクスまたは光学素子
のいずれかをさらに備える、個人に合わせた自転車シートを製造するのに使用するための、請求項２から５のいずれか一項に記載のデバイス。
【請求項７】
前記プラットフォームおよび前記スライドの手動のまたは電動式の調節に適合する、調節可能な自転車シートとして使用するための、請求項２〜５のいずれか一項に記載のデバイス。
【請求項８】
（Ａ）少なくとも１つのプラットフォームまたは少なくとも１セットのスライドの電動式の調節のための少なくとも１つのモーターと、（Ｂ）少なくとも１つの個々のユーザプラットフォームまたはスライドの調節設定を記憶するために前記少なくとも１つのモーターに動作可能にリンクさせられた電子記憶デバイスとをさらに備える、請求項７に記載のデバイス。
【請求項９】
３Ｄデータファイルとして前記複数のセンサによって検出された情報を保存することが可能なコンピュータをさらに備える、請求項１から８のいずれか一項に記載のデバイス。
【請求項１０】
前記コンピュータに動作可能にリンクさせられ、前記３Ｄデータファイルを前記個人に合わせた自転車シートへと変換することが可能な３Ｄプリンタをさらに備える、請求項１から９のいずれか一項に記載のデバイス。
【請求項１１】
前記総称的自転車シートは、自転車フレーム上に配置される、請求項１から１０のいずれか一項に記載のデバイス。
【請求項１２】
前記総称的自転車シートは、３次元すべてにおいて自転車シートに似ている、請求項１から１１のいずれか一項に記載のデバイス。
【請求項１３】
前記複数の個別可動式の部品は、前記複数の個別可動式の部品が集合的に単一の統合された自転車シートの外観を有するように、１つの材料によって覆われる、請求項１から１２のいずれか一項に記載のデバイス。
【請求項１４】
個人に合わせた自転車シートを製造するための方法であって、
（ａ）請求項１から１３のいずれか一項に記載のデバイスを提供することと、
（ｂ）前記複数の個別可動式の部品の１つ以上を前記起点から前記調節された最終位置へと調節することと、
（ｃ）前記複数のセンサを使用して前記調節された最終位置を実現するために前記起点に対しなされるすべての調節を検出することと
を備える方法。
【請求項１５】
（ｄ）３Ｄデータファイルとして前記複数のセンサによって検出された情報を保存することと、
（ｅ）前記３Ｄデータファイルを前記個人に合わせた自転車シートへと変換することと
をさらに備える、請求項１４に記載の方法。
【請求項１６】
請求項１〜１３のいずれか一項に記載の、または請求項１４または１５のいずれかに記載の方法によって調製された、個人に合わせた自転車シート。
【請求項１７】
請求項１６に記載の個人に合わせた自転車シートを備える自転車。
【請求項１８】
調節可能な自転車シートであって、
（ａ）複数の個別可動式の部品であって、少なくとも２次元における前記個別可動式の部品の全体は、総称的自転車シートの少なくとも２次元の上面を定義し、前記個別可動式の部品は、前記総称的自転車シートを起点から調節された最終位置へと調節するために、互いに対しｘ方向、ｙ方向およびｚ方向に動かすことができ、ここで、前記起点と比較して前記調節された最終位置は、前記個人に合わせた自転車シートのユーザとなる人によってまたは前記人のためになされる、前記個別可動式の部品に対する個人的な快適さの調節を具現化する、複数の個別可動式の部品と、
（ｂ）複数の以前のユーザの前記調節された最終位置の複数の設定を備えるデータベースと、
（ｃ）前記複数の以前のユーザの各々の前記調節された最終位置をオンデマンドで１つずつ再現するために、前記データベースに含まれる設定を通信し、前記個別可動式の部品の動きに影響を及ぼすための手段と
を備える調節可能な自転車シート。
【請求項１９】
請求項１９に記載の調節可能な自転車シートを備える自転車。
【請求項２０】
個人に合わせた自転車シートの製造のための、または調節可能な自転車シートそのものとしての、請求項１〜１３のいずれか一項に記載のデバイスの使用。
【発明の詳細な説明】
【技術分野】
【０００１】
本発明は、自転車シートを生成するための新規の方法、新規の方法を実行するための新規の装置および新規の方法を使用して生成される自転車シートに関する。
【背景技術】
【０００２】
自転車に乗ることは、交通手段、レジャー、フィットネスおよびスポーツに用いられる、一般に普及したアクティビティである。自転車に乗ることは、実質的な健全および健康の恩恵を有するが、バイクシート（すなわちサドル）に座ることは、不快さ、勃起不全（ＥＤ）、および生殖器、泌尿器の他の機能不全、および他の機能不全に関連づけられてきた。したがって、個人個人にフィットし、快適で、ＥＤ、生殖器および泌尿器の機能不全、および他の機能不全のリスクを解消または低減することができるバイクシートを設計し、開発し、製造する必要がある。
【０００３】
長年にわたり、「健康的で快適な」バイクシートを開発しようと多くの試みがなされてきた。しかしながら、そのようなすべての努力は結局、快適さに対しても個人の安全に対しても万全でないシートの大量生産に終わってきた。
【０００４】
「尻」または「会陰」の解剖学的構造は、大きさ、形状、体重の分布が人によって異なるので、異なるシート上の異なる個人における知覚される快適さ、圧覚点の場所、強度および分布におけるバリエーションを生み出す。
【０００５】
米国特許第７，２７３，２５０号明細書は、自転車シートを個人個人に適合させるための方法を説明する。この方法は、自転車シートとユーザの臀部との間に圧力測定センサを有するフィルムを設置することにより、自転車シートの表面上のユーザの臀部の局所的な圧力を測定することと、その後、圧力分布出力に基づいて、問題のある加圧ゾーンを減じるために、たとえば、より柔らかい詰め物をそれらの問題のある加圧ゾーンに追加することにより、自転車シートを適合させることとを含む。
【０００６】
米国特許第９，０２２，９５４号明細書は、乗車中の自転車シートの表面に対しユーザの会陰上の圧力をマッピングするための方法を説明する。この方法は、このケースでは自転車乗車者の勃起不全のリスクを評価するために、自転車シート表面とユーザの会陰領域との間にセンサを設置することと、圧力分布出力を使用することとを含む。第６コラムの５６〜６２行目において同明細書は、「自転車シートによる勃起不全のリスク要因を最小化するために自転車シート表面のジオメトリを変更すること」を論じている。同明細書は、この目的のためにシート表面のジオメトリまたは材料構成を変更することを論じ、例として詰め物の追加を挙げている。
【０００７】
米国特許出願公開第２０１７／００７３０２８号公報は、調節可能なバイクシートを説明する。２つのサドル半分が、シャシーに対し独立してボルト締めされる。サドル半分およびシャシーは、サドル半分が互いに対しおよびシャシーに対し異なる位置にボルト締めされることを可能にするボルト用のスロットを有し、それにより、サドル半分が個人的な好みに合うように調節されることを可能にする。加えて、くさび（「詰め木」）が、シャシーの上方のサドル半分の高さを変えるために、サドル半分とシャシーとの間に挿入され得る。しかしながら、くさびはサドル半分を適所に把持する同一のボルトによって適所に把持されるので、サドル半分の高さを変えることは、当初の構成全体が分解され、ボルトが除去され、詰め木が配置され、ボルトが挿入し直されて締め付けられることを必要とする。かくして、サドル半分はそれら自身互いに対しｘ方向およびｙ方向に動かすことができる一方で、サドルは技術的にｚ方向には動かすことができない。しかしながらその代わりに、ｚ方向の変化をもたらすために、デバイス全体が分解され、くさびの挿入物を使用して再構築されなければならない。さらに、いずれの方向におけるサドル位置の調節も、実際的には、ユーザがデバイスを使用している間には実現できない。そうではなく、ユーザは降車しなくてはならず、変化がもたらされると、そこでやっとユーザは再乗車することができる。これは、その「万全感」を実現するという課題をなおいっそう困難にする。それら自身ｘ方向、ｙ方向およびｚ方向の動きが可能であり、ユーザが座ってデバイスを使用している間のこれらの方向のいずれにおける調節も可能である部品を有するデバイスは、非常に有利であろう。同公報はまた、３Ｄデータファイルからのカスタマイズされた個人に合わせたバイクシートの調製、またはそれによって生成されるカスタマイズされた個人に合わせたバイクシート、または動きの電子式アクチュエーションのための、３Ｄデータファイルをサポートするための、ユーザによって所望される調節の取り込みについて言及していない。
【０００８】
個人の会陰を測定し、個人にフィットするバイクシートを設計および製造し、それらの快適さおよび安全性をモニタリングし、適宜シートを調節するかまたは修理するための、工程、機器、材料およびシステムが必要とされる。
【発明の概要】
【発明が解決しようとする課題】
【０００９】
これらのおよび他の目的は、本発明によって満たされ、本発明は、第１の実施形態において、個人に合わせた自転車シートを製造するのに使用するためのデバイスに関し、このデバイスは、（ａ）複数の個別可動式の部品であって、少なくとも２次元における前記個別可動式の部品の全体は、総称的自転車シートの少なくとも２次元の上面を定義し、前記個別可動式の部品は、前記総称的自転車シートを起点から調節された最終位置へと調節するために、互いに対しｘ方向、ｙ方向およびｚ方向に動かすことができ、ここで、前記起点と比較して前記調節された最終位置は、前記個人に合わせた自転車シートのユーザとなる人によってまたは前記人のためになされる、前記個別可動式の部品に対する個人的な快適さの調節を具現化する、複数の個別可動式の部品と、（ｂ）前記複数の個別可動式の部品に接続された複数のセンサであって、前記調節された最終位置を実現するために前記起点に対しなされるすべての調節を集合的に検出する、複数のセンサとを備える。
【００１０】
本発明は、第２の実施形態において、個人に合わせた自転車シートを製造するための方法に関し、この方法は、（ａ）本発明に係るデバイスを提供することと、（ｂ）前記複数の個別可動式の部品の１つ以上を前記起点から前記調節された最終位置へと調節することと、（ｃ）前記複数のセンサを使用して前記調節された最終位置を実現するために前記起点に対しなされるすべての調節を検出することとを備える。
【００１１】
本発明は、第３の実施形態において、本発明の方法によって調製された個人に合わせた自転車シートに関する。
【００１２】
本発明は、第４の実施形態において、本発明の個人に合わせた自転車シートを備える自転車に関する。
【００１３】
本発明は、第５の実施形態において、調節可能な自転車シートに関し、この自転車シートは、（ａ）複数の個別可動式の部品であって、少なくとも２次元における前記個別可動式の部品の全体は、総称的自転車シートの少なくとも２次元の上面を定義し、前記個別可動式の部品は、前記総称的自転車シートを起点から調節された最終位置へと調節するために、互いに対しｘ方向、ｙ方向およびｚ方向に動かすことができ、ここで、前記起点と比較して前記調節された最終位置は、前記個人に合わせた自転車シートのユーザとなる人によってまたは前記人のためになされる、前記個別可動式の部品に対する個人的な快適さの調節を具現化する、複数の個別可動式の部品と、（ｂ）複数の以前のユーザの前記調節された最終位置の複数の設定を備えるデータベースと、（ｃ）前記複数の以前のユーザの各々の前記調節された最終位置をオンデマンドで１つずつ再現するために、前記データベースに含まれる設定を通信し、前記個別可動式の部品の動きに影響を及ぼすための手段とを備える。
【００１４】
発明はここで、図面を参照してより詳細に説明される。
【図面の簡単な説明】
【００１５】
【図１】本発明に係る個人測定のための検査デバイスの第１の実施形態の模式的な上面図である。
【図２】本発明に係る個人測定のための検査デバイスの第２の実施形態の模式的な上面図である。
【図３】本発明に係る個人測定のための検査デバイスの第３の実施形態の模式的な上面図である。
【図４】本発明に係る個人測定のための検査デバイスの第４の実施形態の模式的な上面図である。
【図５】本発明に係る個人測定のための検査デバイスの一部の模式的な上面図である。
【図６】本発明に係る個人測定のための方法の模式的な平面図である。
【図７】本発明に係るデバイスの一実施形態の上面図である。
【図８】図７に係るデバイスの側面図である。
【図９】図７に係るデバイスのシートベース部の斜視図である。
【図１０】図７に係るデバイスのねじ込み式ボール部の斜視図である。
【図１１】図７に係るデバイスのねじ込み式ポストおよびポストキャップ部の斜視図である。
【図１２】サドル部が組み付けられていない図７に係るデバイスの斜視図である。
【図１３】図７に係るデバイスのフロントプラットフォームユニット部の斜視図である。
【図１４】図７に係るデバイスのフロントプラットフォーム部の斜視図である。
【図１５】図７に係るデバイスのフロントスライド部の斜視図である。
【図１６】図７に係るデバイスのバックプラットフォームユニット部の斜視図である。
【図１７】図７に係るデバイスのバックプラットフォーム部の斜視図である。
【図１８】図７に係るデバイスのバックスライド部の斜視図である。
【図１９】図７に係るデバイスのデュアル回転ねじ部の斜視図である。
【図２０】図７に係るデバイスのレール部の斜視図である。
【図２１】図７に係るデバイスのルーラー部の斜視図である。
【図２２Ａ】閉じられた位置における図７に係るデバイスの上面図である。
【図２２Ｂ】リアスライドが開いている図７に係るデバイスの上面図である。
【図２２Ｃ】フロントスライドおよびリアスライドが両方とも開いた位置にある図７に係るデバイスの上面図である。
【発明を実施するための形態】
【００１６】
本発明に係るデバイスは、複数の可動部品を備え、少なくとも２次元におけるその全体は、総称的自転車シートの上面を定義する。「総称的自転車シート」によって意味されるのは単純に、ユーザフレンドリーな調節がなされる共通の起点である。複数の可動部品は、ユーザまたはユーザを手助けする誰かによってなされるすべての個人的な快適さの調節を具現化する調節された最終位置に到達するまで、この共通の起点に対し動かされ、快適さのためにユーザによって定期的にチェックされるであろう。
【００１７】
たとえば、図１は、独立した動きが可能な４つの可動部品を有する総称的自転車シート１０を示す。この上面図から少なくとも、総称的自転車シートは、普通の自転車シートに似た大まかな２次元形状を有する。好ましくは、総称的自転車シートは、３次元すべてにおいて普通の自転車シートに似ている。
【００１８】
図１に示された総称的自転車シートは、２つの前方可動部品１１および２つの後方可動部品１２を有する。この特定の実施形態において、前方部品１１は、（曲線矢印によって示されているように）後方可動部品に対しｚ方向に動かすことができ、後方部品１２は、（直線矢印によって示されているように）前方部品に対しｘ方向に動かすことができる。ユーザは個々の可動部品を、彼または彼女の個人的な快適さの好みに合う位置に調節できる。
【００１９】
（ｘ方向、ｙ方向およびｚ方向は、ｘ方向およびｙ方向が点線で示されている図７から最も明確に理解できる。ｚ方向は、ｘ軸およびｙ軸の両方を含む平面に垂直な角度でページの内外に伸長するものとして理解される。）
かくして、２つの後方部品１２は、シートの水平横軸上で互いに近づくようにまたは互いから離れるように動くことができる。この動きは、後方部品の中央に坐骨を据え、部品の位置を個人的な快適さに合わせて調節するように、とのインストラクションとともに個人によって検査されることを想定している。さらなる調節は、個人の快適さに加えて、圧力、血流および他の測定値のデータを含むこともできるし、含まなくてもよい。２つの前方部品１２は、前方部品の前方端における回転中心に対し回転するように動くことができる。そのような動きは、個人の快適さにしたがって、シートの前方部品の最適な個人的な位置、形状、および大きさを提供するであろう。さらなる調節は、個人の快適さに加えて、圧力、血流および他の測定値のデータを含むこともできるし、含まなくてもよい。前方部品および後方部品の最適な位置からのデータは、最終的な個人的なシートの形状および大きさを定義するであろう。そのようなデータは、個人的にフィットするシートを製造するために、３Ｄ印刷用に使用されるであろう。
【００２０】
特に好ましい実施形態において、シートの複数の部品は、１部品からなるシートの外観および機能を提供するために、何らかの材料、たとえば、レザー、プラスチック、織物または何らかの他の適切な材料で作られたカバーで覆われ得る。
【００２１】
シートの厚さおよびデザインの傾斜は、シートデザインで固定されることもできるし、上記例と同様の手順で調節されることもできる。
【００２２】
好ましい実施形態において、個々の可動部品は、３Ｄデータファイルとしてセンサによって検出された情報を保存することが可能なコンピュータに、センサを介して接続するであろう。コンピュータもまた、好ましくは、３Ｄプロダクトとして３Ｄファイルを印刷することが可能な３Ｄプリンタにリンクさせられる。そのように印刷された３Ｄプロダクトは、仕上がった個人に合わせた自転車シートを形成するために、たとえば、布カバーまたはレザーカバーおよび／または詰め物によって仕上げられ得る。
【００２３】
好ましい実施形態において、３Ｄデータファイルは、電子形式でカバーを示すであろう。
【００２４】
特に好ましい実施形態において、調節前および調節中の総称的自転車シートは自転車フレーム上に配置されるが、ユーザによる快適さの評価が適切な文脈でなされるように、オプションでユーザ独自の自転車フレーム上にも配置される。自転車フレームは、ユーザが模擬乗車の過程全体を通して、固定された自転車のペダルをこぎ、異なる調節設定を評価できるように、自転車スタンドによって支持され、動かせないようにされ得る。
【００２５】
「自転車」という用語がこの説明においてこれまで使用されてきているが、発明および特許請求の目的のために、これは、バイク、自転車、三輪車、スクーター、オートバイ、エクササイズバイク、固定バイク、等を意味する。
【００２６】
同様に、「シート」という用語がこの説明においてこれまで使用されてきているが、発明および特許請求の目的のために、これはシートまたはサドルを意味する。
【００２７】
図２〜図４に示されているように、総称的自転車シートは、個別可動式の部品の数およびそれらの運動範囲の観点で異なり得る。図３および図４において、シートの部品は、１次元、２次元または３次元で動かされることができ（矢印によって示されている）、最終的には、個々のユーザにフィットする三次元、および個人個人にフィットする自転車シートの３Ｄ印刷および製造のために使用され得る３Ｄ電子ファイルまたはデジタルファイルを作成する。図５には、小さなブロック、すなわち「セル」５１０へと各々が分解された前方部分のみが示されている。これらのセル５１０は、製造された個人に合わせた自転車シートにユーザの快適さの精確な評価を提供するために、いずれの形状、大きさ、または体積で設計されてもよく、互いに対し動かせるようにされてもよい。特に好ましい実施形態において、セル５１０は球形である。
【００２８】
実施形態において、「互いに対しｘ方向、ｙ方向およびｚ方向に動かすことができる個別可動式の部品」は、部品が、デバイスまたはその一部を解体（たとえば、ボルトを除去）したり、デバイスに追加（たとえば、詰め木を挿入）したり、デバイスを再構成したり（たとえば、挿入された詰め木を通るようにボルトを挿入し、締め付けたり）する必要なく、そのような動きが可能であることを意味する。そうではなく、手動または電動のアクチュエーション等によって、および新たな構成要素、たとえば１つ以上の詰め木を追加または挿入することなく、既存のデバイスの既存の構成要素は、デバイスを調節するために起点から新たなポイントへとｘ方向、ｙ方向およびｚ方向に動かされることができる。
【００２９】
実施形態において、ｙ方向の動きは、ｘ軸の周りの旋回であって、最初の当初位置に対しわずかに前または後ろへｙ位置を動かすｘ軸の周りの旋回であるか、またはそうでなければｙ軸に沿ってスライドする動きであるか、のいずれかである。
【００３０】
この直前の実施形態において、または別個の実施形態において、ｚ方向の動きは、ｘ軸の周りの旋回であって、最初の当初位置に対し上または下にｚ位置を動かすｘ軸の周りの旋回であるか、またはそうでなければｚ軸に沿ってスライドする動きであるか、のいずれかであることができる。
【００３１】
特に好ましい実施形態において、ｙ方向およびｚ方向の動きはどちらも、ｘ軸の周りの可動部品の旋回による移動を備え、ｘ方向の動きは、ｘ軸に沿ったスライドを備える。
【００３２】
一実施形態において、ｚ方向における変化は、異なる位置でｚ軸の高さが起点と異なるように角度をつけられた水平面に沿ったスライドではない。
【００３３】
自転車シートを個人に合わせるための方法が図６に模式的に描かれており、この図では図５に描かれた小さいセルの概念がさらに詳しく説明されている。この方法は、総称的自転車シートから始まるが、これはすべてのユーザのための共通の起点である。新たなユーザは、総称的自転車シートから始め、ユーザによってなされる快適さの調節のすべての総体である調節された最終位置をもたらすために、彼または彼女の個人的な快適さの好みに合うために必要なだけセルを調節する。この調節された最終位置は、複数のセンサによって取り込まれ、３Ｄデータファイルとして情報を保存するコンピュータに通信される。この３Ｄデータファイルはその後、個人に合わせた自転車シートをもたらすために３Ｄ印刷され、この自転車はオプションで、たとえば詰め物または布カバーあるいはレザーカバーによってさらなる仕上げがなされてもよい。
【００３４】
代替の実施形態において、３Ｄ印刷物は、個人に合わせた自転車シートの部分、たとえば、ユーザの身体と実際に接触する部分の３Ｄの輪郭のみであり、その残りは、シートポストと係合し、その上に３Ｄの輪郭が３Ｄ印刷されるストックブロック底部である。
【００３５】
完全に３Ｄ印刷される場合、金属レールが射出成形されたベースに発泡接着されてからレザーで覆われてベースに取り付けられる現在の工程は不要になるであろう。複数の材料が連続的な３Ｄ印刷工程において使用され得る。
【００３６】
特に好ましい実施形態において、本発明のデバイスは、以下のビジネス手法において有用であり得ることを想定している。すなわち、固定された検査デバイスが、「認可された」自転車ショップに設置されるであろう。興味を持った個人が、認可された自転車ショップに行って検査するよう誘導されるであろう。認可された自転車ショップでその個人は、検査デバイスに「乗車する」であろう。検査デバイスのシートの部品が、個人に合わせたシート設定および個人に合わせた３Ｄデータファイルをコンピュータで作成するために、「乗車者」または手助け役の自転車ショップ店員によって調節されるであろう。個人に合わせた３Ｄデータファイルは、３Ｄ印刷および製造施設へと送られるであろう。その施設は、個人に合わせたシートを３Ｄ印刷および製造し、それを個人または自転車ショップに発送するであろう。かくして、この実施形態において検査デバイスは、シートの注文および支払額の徴収、等に加えて、検査、データの収集、およびコンピュータにおける３Ｄデータファイルの作成のために、認可された自転車ショップにとどまるであろうし、個人に合わせた自転車シートの３Ｄ印刷は、異なる場所で行われるであろう。
【００３７】
有利に、システムは、未来の使用のためにユーザの個人的な快適さの選好を記憶することもできる。たとえば、ユーザが同一の快適さの設定を有する新たな自転車シートの購入を所望する場合、ユーザは、以前の設定を再び呼び出し、新たな自転車シートを３Ｄ印刷するだけでよい。一方、ユーザが以前の調節設定を変更する必要がある場合には、以前の調節設定が総称的自転車シートで再現され得、続いて新たな調節が、新たな自転車シートへと３Ｄ印刷される新たな調節された最終位置を生成するためになされる。
【００３８】
以前の調節設定を再現する能力は、調節可能な自転車シートをもたらし、調節可能な自転車シートは、以前の調節設定、それゆえに、単一の以前のユーザの、または複数の以前のユーザの快適さの設定の再現が可能である。たとえば、スピニングのクラスでは、各々の固定自転車は、毎日異なるさまざまな個人によって現在使用されている。調節可能な自転車シートは、調節可能な自動車用シートと同様に、調節可能な自転車シートの以前のユーザの各々に、ユーザの以前の快適さの設定を再現することを可能にさせるであろう。これは一実施形態において、以前のユーザ設定のデータベース、調節可能な自転車シートにデータベースを接続する手段、および再現された以前の位置への個々のセルの動きおよび実際の動きをシグナリングするための手段を必要とする。あるいは、ここでの、および上述された他の実施形態における調節は、手動で行われるかもしれず、ユーザは、ノブまたはレバー等の使用により、個々の可動部品（または可動部品の全体には満たない何らかの部分のブロック）をユーザによって以前に好まれた位置へと操作することができる。個々の可動部品の、または可動部品のブロックの位置は、個々の可動部品のすべて、およびブロックのすべての収集された位置が、ユーザがデバイスの次の使用時に思い出して「ダイヤルアップ」することができるコードナンバーを定義するように、たとえば、割り当てられた数字であるかもしれない。たとえば、４つの可動部品であって、その各々が１〜５で指定された設定の範囲を有する可動部品を想定すると、所望の以前の快適さの設定のためのユーザコードは、「５３２２」であるかもしれず、ここで、各々の数字は各々の個別可動式の部品の設定に対応する。このコードは、デバイスが任意の起点からユーザが以前に満足した快適さの設定へとデバイスを調節するために使用される次の機会に、ユーザにより手動でダイヤルアップされ得る。
【００３９】
一実施形態において、本発明は、個人に合わせた自転車シートを製造するのに、または調節可能な自転車シートそのものとして、のいずれかで使用するためのデバイスに関し、このデバイスは、
（ａ）シートベースと、
（ｂ）前記シートベース上に取り付けられたフロントプラットフォームであって、フロントプラットフォーム当初位置における前記フロントプラットフォームは、前記シートベースの上方に配置され、前記シートベースに対し略平行に伸長し、ここで、前記フロントプラットフォームは、前記フロントプラットフォームが前記フロントプラットフォーム当初位置から上または下へと旋回できるように前記シートベースに取り付けられる、フロントプラットフォームと、
（ｃ）前記シートベース上に取り付けられたバックプラットフォームであって、バックプラットフォーム当初位置における前記バックプラットフォームは、前記シートベースの上方に配置され、前記シートベースに対し略平行に伸長し、ここで、前記バックプラットフォームは、前記バックプラットフォームが前記バックプラットフォーム当初位置から上または下へと旋回できるように前記シートベースに取り付けられる、バックプラットフォームと、
（ｄ）前記フロントプラットフォームの上方に配置され、前記フロントプラットフォームに可動接続された複数のフロントスライドであって、前記フロントスライドの各々は、フロントスライド当初位置からフロントスライド移動位置へ、およびフロントスライド移動位置から前記フロントスライド当初位置へ、側方に動かすことができる、複数のフロントスライドと、
（ｅ）前記バックプラットフォームの上方に配置され、前記バックプラットフォームに可動接続された複数のバックスライドであって、前記バックスライドの各々は、バックスライド当初位置からバックスライド移動位置へ、およびバックスライド移動位置から前記バックスライド当初位置へ、側方に動かすことができる、複数のバックスライドと、
（ｆ）前記フロントスライドおよび前記バックスライド上に取り付けられ、それにより前記フロントスライドおよび前記バックスライドと同じように動かすことができる、複数のサドルコンポーネントであって、総称的自転車シートの表面の輪郭を有する、全体としての前記複数のサドルコンポーネントと、
（ｇ）オプションで、前記複数のサドルコンポーネントを覆うカバーと
を備える。
【００４０】
図７は、そのようなデバイスの一実施形態の上面図である。上方から見ると、デバイス７００は、２つの前方サドル部７１０と２つの後方サドル部７１１とを備える。
【００４１】
図８は、デバイス７００の側面図を示す。デバイス７００は、（図２０により詳細に示される）一対のレール８１７によってバイクポスト８１９のクリップ８１８に取り付けられ、それはシートベース８１５を支持する。図９を参照すると、シートベース８１５は、２つのプラットフォームマウント９１０を含む。再び図８を参照すると、プラットフォームマウント９１０は、フロントプラットフォーム８１２およびバックプラットフォーム８１３を支持し、その上に前方サドル部７１０および後方サドル部７１１が取り付けられる。前方サドル部７１０はフロントプラットフォームとともに、後方サドル部７１１はバックプラットフォームとともに、破線によって示されているように、シートベース８１５に対する上および下への独立した動きが可能である。この特定の実施形態において、この上および下への動きは、ハンドル８１６を用いてねじ込み式ポスト８１４を手動で回転させることにより調整される。
【００４２】
図９に示されているように、シートベースは、レール８１７のための穴９１２を、また図１０に示されたねじ込み式ボール１０００のためのボールソケット９１１を含む。図１１を参照すると、ねじ込み式ポスト８１４は、頂部１１１１を有し、それはポストキャップ１１００のポスト受容部１１１０と係合する。ねじ込み式ポスト８１４のねじ山は、ねじ込み式ポストをシートベースに対し時計回りまたは反時計回りに回転させて、シートベース上方のねじ込み式ポスト８１４の高さを、それぞれ高くするかまたは低くすることを可能にするねじ込み式ボール１０００のねじ山と係合する。使用において、ポストキャップ１１００は、フロントプラットフォーム８１２およびバックプラットフォーム８１３の下側に当接して、シートベースに対するプラットフォームの上および下への動きを滑らかにする。くぼみ（図示せず）が、ポストキャップ１１００と係合するようにプラットフォームの下側に提供され、ねじ込み式ボール１０００は、ねじ込み式ポスト８１４の高さが低くなったり高くなったりするときにポストキャップ１１００がくぼみの中に保持されることを保証するために、ボールソケット９１１の中で自由に回転できる。
【００４３】
図１２〜１８は、プラットフォームの上部構造およびその仕組みを示す。図１２に示されているように、右および左のフロントスライド１２１０は、フロントプラットフォーム８１２上に取り付けられ、右および左のバックスライド１２１１は、バックプラットフォーム８１３上に取り付けられる。２つのフロントスライド１２１０は、フロントプラットフォーム８１２に接続され、閉じられた当初位置から開位置へと動いて再び元に戻る、はさみ状の動きが可能であるが、他のタイプの動き、たとえば、バックスライド１２１１について示されている単純な側方の分離もまた可能である。２つのバックスライド１２１１は、バックプラットフォーム８１３の上方に位置し、閉じられた当初位置から開位置へと動いて再び元に戻る側方の動きが可能であるが、ここでもまた、他の動きが可能である。ここで説明される動きに関し、最も重要なことは、フロントスライドが互いから移動させられ、再び共に元の状態に戻され得、バックスライドも同様に操作され得る、ということである。当業者は、所望の結果を達成するために多くの異なる手法でデバイスを構成することが可能であろう。２つのプラットフォームは、プラットフォームマウント９１０を通じてボルト１２１３によりシートベース８１５に取り付けられることにより、シートベース８１５に対し上および下に旋回することが可能である。
【００４４】
図１５は、相補ガイド１２１５を有するフロントスライド１２１０を描く。２つのフロントスライド１２１０は、図１４に描かれたフロントプラットフォーム８１２上に取り付けられる。フロントプラットフォーム８１２は、図１９に示されたデュアル回転ねじ１２１４のための受容部１４１０と、ボルト１２１３のためのダクト１３１１とを含む。図１３は、組み合わせられたフロントユニット１３００を示す。デュアル回転ねじ１２１４のドライブ１３１２は、ユニットの後部のほうで両側から突出し、たとえば、ねじドライバヘッドによって、ねじ１２１４を回転させてフロントスライド１２１０を離すようにまたは一緒にするように動かすために係合され得る。多数のポスト１３１０もまた、フロントサドル部７１０（図示せず）がフロントスライド１２１０と連係して動くように、フロントサドル部７１０と係合するようにフロントスライド１２１０から突出する。
【００４５】
バックユニット１６００の同様の構成が図１６〜１８から少しずつ理解され得る。図１８に示される２つのバックスライド１２１１は、図１７に描かれるバックプラットフォーム８１３上に取り付けられる。バックプラットフォーム８１３は、第２のデュアル回転ねじ１２１４のための受容部１７１０と、ボルト１２１３のための２つの穴１６１０とを含む。組み合わせられたバックユニット１６００が図１６に示される。デュアル回転ねじ１２１４のドライブ１６１１は、組み合わせられたバックユニット１６００の両側から突出し、ケースが保証する場合には、スライド１２１１を離すようにまたは一緒にするように側方に動かすよう、ねじドライバによって操作され得る。ここでもまた、多数のポスト１３１０が、バックサドル部７１１（図示せず）がバックスライド１２１１と連係して動くように、バックサドル部７１１と係合するようにバックスライド１２１１から突出する。
【００４６】
図１９は、デュアル回転ねじ１２１４を示す。ねじを一方向に回転させることが、右スライドおよび左スライドを互いから離すように同時に動かす一方で、ねじを反対方向に回転させることは、右スライドおよび左スライドを互いの方へ同時に動かすように、一端は左回転のねじ山１８１０を含む一方で、反対端は右回転のねじ山１８１１を含む。
【００４７】
上記からして、デバイスの仕組みは、特に図８、図２２Ａ、図２２Ｂおよび図２２Ｃを考慮すると、十分に理解されるであろう。図８に示すように、破線によって示されるごとく、フロントプラットフォーム８１２とフロントサドル部７１０との組み合わせは、シートベース８１５に対する上および下の動きが可能である。同様に、バックプラットフォーム８１３とバックサドル部７１１との組み合わせもまた、シートベース８１５に対する上および下の動きが可能である。重要なのは、フロントプラットフォーム８１２とフロントサドル部７１０との組み合わせの上および下の動きが、バックプラットフォーム８１３とバックサドル部７１１との組み合わせの上および下の動きと独立していることである。これに加えて、図２２Ａ、図２２Ｂおよび図２２Ｃから明らかであるように、リアユニット（図２２Ｂ）およびフロントユニット（図２２Ｃ）におけるデュアル回転ねじ１２１４は、リアスライドおよびフロントスライドを所望の程度まで分離するように独立して操作されることができる。利用可能な動きの組み合わせは、組み合わせられたサドル部の輪郭を個々のユーザの快適さに合うように微調節することを可能にする。
【００４８】
図７〜２２は手動で動作させられるデバイスを説明するが、上述した動きのいずれも、たとえばリモートコントロールユニットにより、容易に機械化され制御されることができるであろう。本発明は、手動および電動による動作の両方を意図しており、特に、上記実施形態の各々は、モーターおよび手動コントロール（たとえば、ボタン、レバーまたはスイッチ）またはリモートコントロールを使用する、電動で機械化された動作に適合させられる。
【００４９】
この構成は本来、調節可能な自転車シートとして使用され得る。あるいは、当初位置からのさまざまな部品の所望の移動が測定され、コンピュータプログラムへと供給されることができ、データは、個人に合わせた自転車シートが３Ｄ印刷され得る３Ｄデータファイルを知らせるために使用される。測定は、任意の適切なセンサによるものであることができ、たとえば、ルーラー（図２１に示され、デバイスに装着されていることができる）または光学センサが、高い精度で移動の程度を検出するために設置され得る。使用され得る他のセンサは、圧力センサ、機械センサ、電気センサ、磁気センサおよび熱センサを含む。ルーラーが使用される場合、移動が記録され得、測定値は、そのデータをカスタマイズされたシートの輪郭へと自動で変換するであろうコンピュータプログラムへと供給される。電気センサまたは光学センサが使用される場合、データは、センサから同一の効果を有するコンピュータへと直接送信され得る。
【００５０】
一実施形態において、センサ（ルーラー、光学センサ、等）は、すべての３つのｘ方向、ｙ方向およびｚ方向の当初位置からの任意の移動を記録または表示するように、デバイスのさまざまなポイントに配置される。
【００５１】
デバイスが調節可能な自転車シートとして使用されるように意図される実施形態においては、センサが必要とされない場合もあり、したがって、センサの要求は、そのような実施形態からオプションで削除されることもでき、それら実施形態はそうでなければここで上述されたごとくである。
【００５２】
本発明は、上述された特定の実施形態に関連して説明されているが、その多くの代替例、変更例および他の変形例が当業者に理解されよう。そのようなすべての代替例、変更例および変形例は、本発明の趣旨および範囲内に含まれるように意図される。
【図１】
2020501988.tif 000003
【図２】
2020501988.tif 000004
【図３】
2020501988.tif 000005
【図４】
2020501988.tif 000006
【図５】
2020501988.tif 000007
【図６】
2020501988.tif 000008
【図７】
2020501988.tif 000009
【図８】
2020501988.tif 000010
【図９】
2020501988.tif 000011
【図１０】
2020501988.tif 000012
【図１１】
2020501988.tif 000013
【図１２】
2020501988.tif 000014
【図１３】
2020501988.tif 000015
【図１４】
2020501988.tif 000016
【図１５】
2020501988.tif 000017
【図１６】
2020501988.tif 000018
【図１７】
2020501988.tif 000019
【図１８】
2020501988.tif 000020
【図１９】
2020501988.tif 000021
【図２０】
2020501988.tif 000022
【図２１】
2020501988.tif 000023
【図２２Ａ】
2020501988.tif 000024
【図２２Ｂ】
2020501988.tif 000025
【図２２Ｃ】
2020501988.tif 000026
【国際調査報告】
2020501988.tif 000027
2020501988.tif 000028